(57)【特許請求の範囲】
【請求項１】
計数された玉数、発券レシート番号、玉計数機番号、運用日付を含む発券情報を記憶するセキュリティ情報記憶部及び配信履歴情報を記憶する配信履歴情報記憶部を有する管理コンピュータと、
上記発券情報を記憶するローカルなセキュリティ情報記憶部を有し、発券レシートを読み取り得られる発券情報とセキュリティ情報記憶部に記憶された発券情報との照合結果に応じて景品交換を行う景品ＰＯＳとを具備するセキュリティ情報配信機能を持つ景品管理システムであって、
管理コンピュータは、セキュリティ情報記憶部の発券情報が更新された時またはセキュリティ情報記憶部に発券情報が追加された時に、セキュリティ情報記憶部の中に存在し且つ配信履歴情報記憶部に存在しない発券情報を景品ＰＯＳに配信し、配信した発券情報に基づいて配信履歴情報記憶部の内容を更新し、
景品ＰＯＳは、管理コンピュータから送られてきた発券情報に基づいて自己のローカルなセキュリティ情報記憶部の内容を更新し、
景品ＰＯＳは、発券レシートを読み取ったとき、管理コンピュータとネットワークを介して接続されているかを調べ、ネットワークを介して接続されている場合には、発券レシートを読み取ることにより得られた発券情報を上記管理コンピュータに送って照合を依頼し、照合結果を受信し、
管理コンピュータとネットワークを介して接続されていない場合には、発券レシートを読み取ることにより得られた発券情報と、ローカルなセキュリティ情報記憶部に記憶された発券情報とを照合し、
上記照合結果に応じて、景品交換を行う
することを特徴とするセキュリティ情報配信機能を持つ景品管理システム。
【請求項２】
計数された玉数、発券レシート番号、玉計数機番号、運用日付を含む発券情報を記憶するセキュリティ情報記憶部および景品ＰＯＳ毎の配信履歴情報を記憶する配信履歴情報記憶部を有する管理コンピュータと、
上記発券情報を記憶するローカルなセキュリティ情報記憶部を有し、発券レシートを読み取り得られる発券情報とセキュリティ情報記憶部に記憶された発券情報との照合結果に応じて景品交換を行う景品ＰＯＳとを具備するセキュリティ情報配信機能を持つ景品管理システムであって、
管理コンピュータは、セキュリティ情報記憶部の発券情報が更新された時またはセキュリティ情報記憶部に発券情報が追加された時に、接続されている景品ＰＯＳ毎にセキュリティ情報記憶部の中に存在し且つ対応する配信履歴情報記憶部の中に存在しない発券情報を求め、
求めた発券情報を対応する景品ＰＯＳに配信し、配信した発券情報に基づいて対応する配信履歴情報記憶部を更新し、
景品ＰＯＳは、管理コンピュータから送られてきた発券情報に基づいて自己のローカルなセキュリティ情報記憶部の内容を更新し、
景品ＰＯＳは、発券レシートを読み取ったとき、管理コンピュータとネットワークを介して接続されているかを調べ、ネットワークを介して接続されている場合には、発券レシートを読み取ることにより得られた発券情報を上記管理コンピュータに送って照合を依頼し、照合結果を受信し、
管理コンピュータとネットワークを介して接続されていない場合には、発券レシートを読み取ることにより得られた発券情報と、ローカルなセキュリティ情報記憶部に記憶された発券情報とを照合し、
上記照合結果に応じて、景品交換を行う
することを特徴とするセキュリティ情報配信機能を持つ景品管理システム。
【発明の詳細な説明】
【０００１】
【発明の属する技術分野】
本発明は、管理コンピュータからセキュリティ情報を端末に配信し、管理コンピュータがダウンした場合でも端末側で照合処理を行い得るようになった景品管理システムに関するものである。
【０００２】
【従来の技術】
図４は景品管理システムの概要を示す図である。同図において、１は玉またはメダル計数機、２は管理サーバ、３は景品ＰＯＳを示している。なお、玉計数機とメダル計数機の動作は略ぼ同じであるので、１を玉計数機として説明する。
【０００３】
サーバ２と玉計数機１はネットワーク接続され、サーバ２と景品ＰＯＳ３もネットワークで接続されている。玉計数機１は複数台存在し、景品ＰＯＳ３も複数台存在する。顧客が玉計数機１のホッパにパチンコ玉を投入し、発券ボタンを押下すると、計数された玉数，発券レシート番号，玉計数機番号などがサーバに通知されると共に、計数された玉数，発券レシート番号，玉計数機番号，運用日付などを示す発券情報が暗号化され、暗号化の結果得られる暗号データを表すバーコードが印刷された発券レシートが発行される。
【０００４】
顧客は、玉計数機１から発行された発券レシートを景品ＰＯＳ３に持参する。景品ＰＯＳのオペレータは、顧客の持参した発券レシートのバーコードを景品ＰＯＳ３に読み取らせる。景品ＰＯＳ３は、バーコードを読み取り得た場合には、バーコードが示す暗号データを復号化し、復号化の結果得られる発券情報をサーバ２に送り、照合を依頼する。サーバ２から照合結果ＯＫが返って来ると、景品ＰＯＳ３は交換情報を画面に表示する。景品ＰＯＳ３のオペレータは、顧客と会話しながら景品交換のための操作を行う。なお、交換情報とは、例えば発券レシートに記載されているパチンコ玉数で何個の特殊景品を得ることが出来るかを示すものである。
【０００５】
図５は玉計数機のブロック図である。同図において、４はマイクロプロセッサ、５はホッパ、６は玉数カウンタ、７は表示部、８は操作部、９はデータ出力部、１０はインターフェース部をそれぞれ示している。
【０００６】
マイクロプロセッサ４は玉計数機全体を制御するものである。ホッパ５に入れられたパチンコ玉の数は玉数カウンタ６によって計数される。表示部７は、計数された玉数などを表示するものである。操作部８は、各種の指示を入力するためのものである。データ出力部９としてはプリンタやカード・ライタ等がある。
【０００７】
プリンタは、玉数，玉計数機番号，発券レシート番号，発券日時分，運用日付，バーコード等を発券レシート上に印刷するものである。玉数，玉計数機番号，発券レシート番号，運用日付，その他のデータの並びは暗号化され、暗号化されたデータがバーコード印刷される。インターフェース部１０は、サーバ２との間の通信を管理するものである。
【０００８】
図６は景品ＰＯＳのブロック図である。同図において、１２はマイロクプロセッサ、１３は表示部、１４は操作部、１５は記憶装置、１６はインターフェース部、１７は出力部、１８はデータ読取部をそれぞれ示している。
【０００９】
景品ＰＯＳ３は、マイクロプロセッサ１２，表示部１３，操作部１４，記憶装置１５，インターフェース部１６，出力部１７，データ読取部１８などを有している。マイクロプロセッサ１２は、景品ＰＯＳ全体を制御するものである。操作部１４は、キーボードである。記憶装置１５は、主記憶装置や外部記憶装置であって、種々のデータやプログラムを記憶する。インターフェース部１６は、サーバ２との間の通信を管理するものである。出力部１７は、プリンタである。データ読取部１８としては、バーコード・リーダやカード・リーダ等がある。
【００１０】
図７は発券レシートの例を示す図である。発券レシートに印字される文字列およびバーコードの内容は、以下の通りである。
(a) 印字される主な文字列
(1) 店名，本日限り有効
(2) 発行年月日時分，計数機の機械番号
(3) 計数値（玉数またはメダル数）
(4) 運用日付
(5) 発券レシート番号
(6) 計数機番号
(7) 発行区分（オンライン区分）
(b) バーコード内の主なデータ項目
(8) 発行区分
(9) 計数値
(10)運用日付
(11)発券時刻
(12)計数機番号
(13)発券レシート番号
なお、運用日付とは、店舗としての一日を区別するためのものであり、営業開始に先立って管理サーバ２から玉／メダル計数機１や管理ＰＯＳ３にダウンロードされる。
【００１１】
【発明が解決しようとする課題】
従来の技術おいては、管理コンピュータでセキュリティ情報を一括して管理していた。また、管理コンピュータに接続されている各端末は、情報の照合を行う場合、必ず管理コンピュータに対して照合依頼を行っていた。しかし、管理コンピュータがダウンした場合は照合処理を行えず、端末が機能しなくなる場合があった。なお、管理コンピュータとは管理サーバのことであり、セキュリティ情報とは発券情報のことであり、端末とは景品ＰＯＳのことである。
【００１２】
本発明は、この点に鑑みて創作されたものであって、管理コンピュータから端末にセキュリティ情報を配信し、管理コンピュータがダウンした場合でも端末側で照合処理を行い得るようになった景品管理システムを提供することを目的としている。
【００１３】
【課題を解決するための手段】
請求項１のセキュリティ情報配信機能を持つ景品管理システムは、計数された玉数、発券レシート番号、玉計数機番号、運用日付を含む発券情報を記憶するセキュリティ情報記憶部及び配信履歴情報を記憶する配信履歴情報記憶部を有する管理コンピュータと、上記発券情報を記憶するローカルなセキュリティ情報記憶部を有し、発券レシートを読み取り得られる発券情報とセキュリティ情報記憶部に記憶された発券情報との照合結果に応じて景品交換を行う景品ＰＯＳとを具備するセキュリティ情報配信機能を持つ景品管理システムであって、管理コンピュータは、セキュリティ情報記憶部の発券情報が更新された時またはセキュリティ情報記憶部に発券情報が追加された時に、セキュリティ情報記憶部の中に存在し且つ配信履歴情報記憶部に存在しない発券情報を景品ＰＯＳに配信し、配信した発券情報に基づいて配信履歴情報記憶部の内容を更新し、景品ＰＯＳは、管理コンピュータから送られてきた発券情報に基づいて自己のローカルなセキュリティ情報記憶部の内容を更新し、景品ＰＯＳは、発券レシートを読み取ったとき、管理コンピュータとネットワークを介して接続されているかを調べ、ネットワークを介して接続されている場合には、発券レシートを読み取ることにより得られた発券情報を上記管理コンピュータに送って照合を依頼し、照合結果を受信し、管理コンピュータとネットワークを介して接続されていない場合には、発券レシートを読み取ることにより得られた発券情報と、ローカルなセキュリティ情報記憶部に記憶された発券情報とを照合し、上記照合結果に応じて、景品交換を行うことを特徴とするものである。
【００１４】
請求項２のセキュリティ情報配信機能を持つ景品管理システムは、計数された玉数、発券レシート番号、玉計数機番号、運用日付を含む発券情報を記憶するセキュリティ情報記憶部および景品ＰＯＳ毎の配信履歴情報を記憶する配信履歴情報記憶部を有する管理コンピュータと、上記発券情報を記憶するローカルなセキュリティ情報記憶部を有し、発券レシートを読み取り得られる発券情報とセキュリティ情報記憶部に記憶された発券情報との照合結果に応じて景品交換を行う景品ＰＯＳとを具備するセキュリティ情報配信機能を持つ景品管理システムであって、管理コンピュータは、セキュリティ情報記憶部の発券情報が更新された時またはセキュリティ情報記憶部に発券情報が追加された時に、接続されている景品ＰＯＳ毎にセキュリティ情報記憶部の中に存在し且つ対応する配信履歴情報記憶部の中に存在しない発券情報を求め、求めた発券情報を対応する景品ＰＯＳに配信し、配信した発券情報に基づいて対応する配信履歴情報記憶部を更新し、景品ＰＯＳは、管理コンピュータから送られてきた発券情報に基づいて自己のローカルなセキュリティ情報記憶部の内容を更新し、景品ＰＯＳは、発券レシートを読み取ったとき、管理コンピュータとネットワークを介して接続されているかを調べ、ネットワークを介して接続されている場合には、発券レシートを読み取ることにより得られた発券情報を上記管理コンピュータに送って照合を依頼し、照合結果を受信し、管理コンピュータとネットワークを介して接続されていない場合には、発券レシートを読み取ることにより得られた発券情報と、ローカルなセキュリティ情報記憶部に記憶された発券情報とを照合し、
上記照合結果に応じて、景品交換を行うすることを特徴とするものである。
【００１６】
【発明の実施の形態】
図１は本発明の景品管理システムの全体処理を説明する図である。
同図において、２０は管理コンピュータ、２１はセキュリティ情報記憶部、２２は配信履歴情報記憶部、２３は端末、２４はローカルなセキュリティ情報記憶部をそれぞれ示している。
【００１７】
管理コンピュータ２０は、セキュリティ情報記憶部２１と配信履歴情報記憶部２２とを有している。セキュリティ情報記憶部２１は、セキュリティ情報を記憶する。配信履歴情報記憶部２２は、配信履歴情報を記憶する。端末２３は、ローカルなセキュリティ情報記憶部２４を有している。ローカルなセキュリティ情報記憶部２４は、管理コンピュータ２０から送られて来たセキュリティ情報を記憶する。
【００１８】
電源が投入されると、端末２３は接続要求を管理コンピュータ２０に送る。接続可の応答が管理コンピュータ２０から送られて来ると、端末２３と管理コンピュータ２０とが論理的に接続されたことになる。
【００１９】
端末２３は、照合処理を行う際、先ず管理コンピュータとネットワークで接続されているか否かを調べる。ネットワーク接続ＯＫの場合には、管理コンピュータ２０にセキュリティ情報を送り、照合を依頼する。管理コンピュータ２０から照合結果が送られて来ると、照合結果を他のタスクに通知する。ネットワーク接続ＮＧの場合には、端末２３は、セキュリティ情報記憶部２４に基づいて、ローカル照合処理を行い、照合結果を他のタスクに通知する。
【００２０】
管理コンピュータ２０は、端末２３からの照合依頼を受け取ると、照合処理を開始し、セキュリティ情報記憶部２１の中に端末から送られてきたセキュリティ情報と一致するものがあるか否かを調べ、存在する場合には照合結果ＯＫを依頼元の端末に送ると共に、セキュリティ情報記憶部２１の中の該当するセキュリティ情報に照合済のマークを付ける。また、存在しない場合には照合ＮＧを依頼元の端末２３に送る。
【００２１】
管理コンピュータ２０は、セキュリティ情報記憶部２１のセキュリティ情報に照合済のマークを付けると、照合済のマークが付けられたセキュリティ情報を配信イベント発生通知域（図示せず）に書き込む。また、管理コンピュータ２０は、セキュリティ情報記憶部２１に新たにセキュリティ情報を追加した場合にも、当該セキュリティ情報を配信イベント発生通知域に書き込む。
【００２２】
配信イベント発生通知域にセキュリティ情報が書き込まれると、管理コンピュータ２０は、セキュリティ情報記憶部２１の内容と配信履歴情報記憶部２２の内容とに基づいて未配信のセキュリティ情報を求め、求めた未配信のセキュリティ情報を端末に配信し、配信したセキュリティ情報を配信履歴情報記憶部２２に追加する。
端末２３は、管理コンピュータ２０から送られてきたセキュリティ情報を受信すると、セキュリティ情報記憶部２４の内容を更新する。
【００２３】
図２は本発明の景品管理システムの照合処理を説明する図である。管理コンピュータ２０は照合タスクを有している。管理コンピュータ側の照合タスクでは、次ぎのような処理が行われる。端末２３からの照合データを受信すると、照合データの検索を行い、照合結果を照合データ送信元の端末２３に送り、照合タスクを終了すべきか否かを調べる。照合タスク終了でない場合には再び照合データ受信待ちになり、照合タスク終了の場合には照合タスクを終了する。
【００２４】
端末２３も照合タスクを有している。端末側の照合タスクでは、次ぎのような処理が行われる。他タスクからの照合依頼を受け取ると、ネットワーク接続がＯＫかＮＧかを調べる。ネットワーク接続ＯＫの場合には、端末２３は照合データを管理コンピュータ２０に送信し、管理コンピュータ２０からの照合結果を受信すると、照合結果を他のタスクに通知する。
【００２５】
ネットワーク接続がＮＧの場合には、端末側の照合タスクは、自身が有しているローカルなセキュリティ情報記憶部２４の内容を参照して照合データを検索し、その結果を他のタスクに通知する。照合結果を通知した後、終了判定を行い、終了しない場合には照合依頼待ちの状態に戻り、終了する場合は照合タスクを終了する。
【００２６】
図３は本発明の景品管理システムの配信処理を説明する図である。管理コンピュータ２０は配信タスクを有している。管理コンピュータ側の配信タスクでは、次ぎのような処理が行われる。配信イベント発生通知域にセキュリティ情報が書き込まれたか否かを監視し、書き込まれた場合には、論理的に接続中の端末を確認し、論理的に接続中の端末別毎に配信履歴チェックを行う。配信履歴情報記憶部２２は、物理的に接続されている端末毎に存在する。
【００２７】
管理コンピュータ２０に論理的に接続されている端末が２３−Ｘi （ｉは１，…，ｎ）であると仮定すると、端末２３−Ｘi の配信履歴情報記憶部２２−Ｘi とセキュリティ情報記憶部２１の内容とを比較し、セキュリティ情報記憶部２１の中に存在して配信履歴情報記憶部２２−Ｘi の中に存在しないセキュリティ情報を端末２３−Ｘi に送り、次いで配信履歴情報記憶部２２−Ｘi を更新し、次いで終了判定を行い、ＯＫの場合には配信タスクを終了し、ＮＧの場合にはセキュリティ情報監視に戻る。
【００２８】
例えば、セキュリティ情報記憶部２１の中に照合済みのセキュリティ情報Ｓ１と，未照合のセキュリティ情報Ｓ２と，未照合のセキュリティ情報Ｓ３とが存在し、配信履歴情報記憶部２２−Ｘi の中に照合済みセキュリティ情報Ｓ１と，未照合のセキュリティ情報Ｓ２とが存在すると仮定する。
【００２９】
このような場合には、未照合のセキュリティ情報Ｓ２と，未照合のセキュリティ情報Ｓ３とを端末２３−Ｘi に送る。そして、配信履歴情報記憶部２２−Ｘi の中のセキュリティ情報Ｓ２を照合済みとし、配信履歴情報記憶部２２−Ｘi に未照合のセキュリティ情報Ｓ３を追加する。
【００３０】
端末２３はセキュリティ情報記録タスクを有している。セキュリティ情報記録タスクでは次ぎのような処理が行われる。管理コンピュータ２０からセキュリティ情報が送られて来ると、当該セキュリティ情報を受信し、次いで受信したセキュリティ情報に基づいてローカルなセキュリティ情報記憶部２４を更新する。次いで終了判定を行い、ＯＫの場合にはセキュリティ情報記録タスクを終了し、ＮＧの場合にはセキュリティ情報受信待ちに戻る。
【００３１】
【発明の効果】
以上の説明から明らかなように、本発明によれば、下記のような顕著な効果を奏することが出来る。
(a) 管理コンピュータのダウン中においても、端末側で照合処理が行える。
(b) セキュリティ情報の変更分のみを配信することによって、ネットワーク・トラフィックが削減される。
(c) 履歴管理により、端末ダウン中のセキュリティ情報を端末復旧時に配信できる。
【図面の簡単な説明】
【図１】本発明の景品管理システムの全体処理を説明する図である。
【図２】本発明の景品管理システムの照合処理を説明する図である。
【図３】本発明の景品管理システムの配信処理を説明する図である。
【図４】景品管理システムの概要を示す図である。
【図５】玉計数機のブロック図である。
【図６】景品ＰＯＳのブロック図である。
【図７】発券レシートの例を示す図である。
【符号の説明】
１    玉計数機
２    管理サーバ
３    景品ＰＯＳ
４    マイクロプロセッサ
５    ホッパ
６    玉数カウンタ
７    表示部
８    操作部
９    データ出力部
１０  インターフェース部
１２  マイクロプロセッサ
１３  表示部
１４  操作部
１５  記憶装置
１６  インターフェース部
１７  出力部
１８  データ読取部
２０  管理コンピュータ
２１  セキュリティ情報記憶部
２２  配信履歴情報記憶部
２３  端末
２４  ローカルなセキュリティ情報記憶部
【図１】
0003824427.tif 000002
【図２】
0003824427.tif 000003
【図３】
0003824427.tif 000004
【図４】
0003824427.tif 000005
【図５】
0003824427.tif 000006
【図６】
0003824427.tif 000007
【図７】
0003824427.tif 000008